(57)【特許請求の範囲】
【請求項１】
証明写真の提出先の分類ごとに、被撮影者の案内に関する案内情報と、撮影時の背景色に関する複数の背景色情報とを記憶するデータベースと、
前記分類を被撮影者に選択させる分類選択手段と、
前記分類選択手段によって選択された前記分類に対応する前記案内情報を表示部に表示する案内情報表示手段と、
前記分類選択手段によって選択された前記分類に対応する複数の背景色情報を前記表示部に表示する背景色表示手段と、
前記背景色表示手段によって表示された複数の背景色情報の中から所望の背景色情報を被撮影者に選択させる背景色選択手段と、
前記背景色選択手段によって選択された背景色情報を撮影時の背景色として被撮影者を撮影し、撮影データを生成する撮影手段と、
前記撮影データを所定の用紙にプリントするプリント手段と、
を具備することを特徴とする証明写真撮影装置。
【請求項２】
前記撮影手段は、前記撮影データを複数生成するものであって、
複数の前記撮影データを前記表示部に表示する撮影データ表示手段と、
前記撮影データ表示手段によって表示された複数の前記撮影データの中から所望の前記撮影データを被撮影者に選択させる撮影データ選択手段と、
を更に具備し、
前記プリント手段は、前記撮影データ選択手段によって選択された前記撮影データを所定の用紙に印刷することを特徴とする請求項１に記載の証明写真撮影装置。
【請求項３】
前記撮影データ選択手段は、前記分類選択手段によって選択された前記分類に対応する前記案内情報を判定基準として、前記分類選択手段によって選択された前記分類に適する前記撮影データを判定し、推薦撮影データとして識別可能に提示することを特徴とする請求項２に記載の証明写真撮影装置。
【請求項４】
前記背景色選択手段は、前記撮影手段によって所定枚数の前記撮影データが生成されると、異なる背景色情報の選択を許容し、
前記撮影データ選択手段は、複数の前記撮影データの選択を許容し、
前記プリント手段は、前記撮影データ選択手段によって選択された複数の前記撮影データを所定の用紙にプリントすることを特徴とする請求項２または請求項３に記載の証明写真撮影装置。
【請求項５】
前記分類選択手段は、前記撮影手段によって所定枚数の前記撮影データが生成されると、異なる前記分類の選択を許容し、
前記撮影データ選択手段は、複数の前記撮影データの選択を許容し、
前記プリント手段は、前記撮影データ選択手段によって選択された複数の前記撮影データを所定の用紙にプリントすることを特徴とする請求項２から請求項４のいずれかに記載の証明写真撮影装置。
【請求項６】
前記プリント手段によってプリントされた前記撮影データを識別する識別情報、または前記プリント手段によってプリントされた前記撮影データが暗号化された暗号情報を、被撮影者が所有する携帯端末に記憶させる手段、
を更に具備することを特徴とする請求項１から請求項５のいずれかに記載の証明写真撮影装置。
【請求項７】
前記プリント手段は、前記撮影データと対応付けて、前記分類選択手段によって選択された前記分類に対応する前記案内情報を所定の用紙にプリントすることを特徴とする請求項１から請求項６のいずれかに記載の証明写真撮影装置。
【請求項８】
前記背景色情報は、色彩、濃淡、または光の強弱の中で少なくとも１つが互いに異なることを特徴とする請求項１から請求項７のいずれかに記載の証明写真撮影装置。
【請求項９】
証明写真の提出先の分類ごとに、被撮影者の案内に関する案内情報と、撮影時の背景色に関する複数の背景色情報とを記憶するデータベースを有する証明写真撮影装置による証明写真撮影方法であって、
前記証明写真撮影装置は、前記分類を被撮影者に選択させる分類選択ステップと、
前記分類選択ステップによって選択された前記分類に対応する前記案内情報を表示部に表示する案内情報表示ステップと、
前記分類選択ステップによって選択された前記分類に対応する複数の背景色情報を前記表示部に表示する背景色表示ステップと、
前記背景色表示ステップによって表示された複数の背景色情報の中から所望の背景色情報を被撮影者に選択させる背景色選択ステップと、
前記背景色選択ステップによって選択された背景色情報を撮影時の背景色として被撮影者を撮影し、撮影データを生成する撮影ステップと、
前記撮影データを所定の用紙にプリントするプリントステップと、
を含むことを特徴とする証明写真撮影方法。
【発明の詳細な説明】
【技術分野】
【０００１】
本発明は、証明写真を撮影する証明写真撮影装置等に関する。
【背景技術】
【０００２】
近年、多数の無人型自動証明写真用撮影装置が普及している。この無人型自動証明写真用撮影装置は、通常、被撮影者の顔画像の撮影を行い、必要な大きさの写真を印刷する。被撮影者は、印刷された写真を履歴書やパスポートの申請書等に貼付する。（例えば、特許文献１参照）。
【先行技術文献】
【特許文献】
【０００３】
【特許文献１】特開２００７−２４１７９３号公報
【発明の概要】
【発明が解決しようとする課題】
【０００４】
証明写真では、被撮影者の写真映りに加えて、背景も証明写真の出来不出来を左右する大きな原因となる。特に、就職活動のため、履歴書等に貼付される証明写真では、被写体の映りがよく、好印象を与えるものが望ましい。
しかしながら、従来の証明写真撮影装置によって撮影された証明写真は、背景色が予め決められている。就職活動では、業界ごとに求める人材が異なるため、背景色が固定されている場合、全ての業界において、採用者によい印象を与える効果的な証明写真を撮影できるとは限らない。また、撮影時に注意すべき事項（髪型、服装、化粧など）も、業界によって異なる。
【０００５】
本発明は、このような問題に鑑みてなされたもので、その目的とするところは、就職活動等において証明写真の提出先に応じた効果的な証明写真を撮影することができる証明写真撮影装置等を提供することである。
【課題を解決するための手段】
【０００６】
前述した目的を達成するために、第１の発明は、証明写真の提出先の分類ごとに、被撮影者の案内に関する案内情報と、撮影時の背景色に関する複数の背景色情報とを記憶するデータベースと、前記分類を被撮影者に選択させる分類選択手段と、前記分類選択手段によって選択された前記分類に対応する前記案内情報を表示部に表示する案内情報表示手段と、前記分類選択手段によって選択された前記分類に対応する複数の背景色情報を前記表示部に表示する背景色表示手段と、
前記背景色表示手段によって表示された複数の背景色情報の中から所望の背景色情報を被撮影者に選択させる背景色選択手段と、前記背景色選択手段によって選択された背景色情報を撮影時の背景色として被撮影者を撮影し、撮影データを生成する撮影手段と、前記撮影データを所定の用紙にプリントするプリント手段と、を具備することを特徴とする証明写真撮影装置である。
第１の発明によって、利用者は、証明写真の提出先に適する証明写真を得ることができる。また、写真撮影前に証明写真の提出先の分類ごとの案内情報を確認することができる。
【０００７】
また、第１の発明における前記撮影手段は、前記撮影データを複数生成するものであって、複数の前記撮影データを前記表示部に表示する撮影データ表示手段と、前記撮影データ表示手段によって表示された複数の前記撮影データの中から所望の前記撮影データを被撮影者に選択させる撮影データ選択手段と、を更に具備し、前記プリント手段は、前記撮影データ選択手段によって選択された前記撮影データを所定の用紙に印刷する。
これにより、利用者は、複数の撮影データを比較し、所望の撮影データを選択して、証明写真を得ることができる。
【０００８】
また、第１の発明における前記撮影データ選択手段は、前記分類選択手段によって選択された前記分類に対応する前記案内情報を判定基準として、前記分類選択手段によって選択された前記分類に適する前記撮影データを判定し、推薦撮影データとして識別可能に提示する。
これにより、利用者は、複数の撮影データの中から、証明写真の提出先に適した撮影データを選択することができる。
【０００９】
また、第１の発明における前記背景色選択手段は、前記撮影手段によって所定枚数の前記撮影データが生成されると、異なる背景色情報の選択を許容し、前記撮影データ選択手段は、複数の前記撮影データの選択を許容し、前記プリント手段は、前記撮影データ選択手段によって選択された複数の前記撮影データを所定の用紙にプリントする。
これにより、利用者は、所定回数の撮影後、実際に撮影された写真を見ながら背景色の再選択を行うことにより、より良い証明写真を得ることができる。
【００１０】
また、第１の発明における前記分類選択手段は、前記撮影手段によって所定枚数の前記撮影データが生成されると、異なる前記分類の選択を許容し、前記撮影データ選択手段は、複数の前記撮影データの選択を許容し、前記プリント手段は、前記撮影データ選択手段によって選択された複数の前記撮影データを所定の用紙にプリントする。
これにより、利用者は、複数の証明写真の提出先の分類を選択し、複数の証明写真の提出先に適した背景色の証明写真を得ることができる。
【００１１】
また、第１の発明における前記プリント手段によってプリントされた前記撮影データを識別する識別情報、または前記プリント手段によってプリントされた前記撮影データが暗号化された暗号情報を、被撮影者が所有する携帯端末に記憶させる手段、を更に具備することが望ましい。
これにより、利用者は、撮影済の証明写真を後日証明写真撮影装置に再プリントさせることができる。
【００１２】
また、第１の発明における前記プリント手段は、前記撮影データと対応付けて、前記分類選択手段によって選択された前記分類に対応する前記案内情報を所定の用紙にプリントすることが望ましい。
これにより、利用者は、証明写真の提出先の分類ごとの案内情報を証明写真とともに得ることができる。
【００１３】
また、第１の発明における前記背景色情報は、色彩、濃淡、または光の強弱の中で少なくとも１つが互いに異なることが望ましい。
これにより、利用者は、様々な背景色の証明写真を得ることができる。
【００１４】
第２の発明は、証明写真の提出先の分類ごとに、被撮影者の案内に関する案内情報と、撮影時の背景色に関する複数の背景色情報とを記憶するデータベースを有する証明写真撮影装置による証明写真撮影方法であって、前記証明写真撮影装置は、前記分類を被撮影者に選択させる分類選択ステップと、前記分類選択ステップによって選択された前記分類に対応する前記案内情報を表示部に表示する案内情報表示ステップと、前記分類選択ステップによって選択された前記分類に対応する複数の背景色情報を前記表示部に表示する背景色表示ステップと、前記背景色表示ステップによって表示された複数の背景色情報の中から所望の背景色情報を被撮影者に選択させる背景色選択ステップと、前記背景色選択ステップによって選択された背景色情報を撮影時の背景色として被撮影者を撮影し、撮影データを生成する撮影ステップと、前記撮影データを所定の用紙にプリントするプリントステップと、を含むことを特徴とする証明写真撮影方法である。
第２の発明によって、利用者は、証明写真の提出先に適する証明写真を得ることができる。また、写真撮影前に証明写真の提出先の分類ごとの案内情報を確認することができる。
【発明の効果】
【００１５】
本発明により、就職活動等において証明写真の提出先に応じた効果的な証明写真を撮影することができる証明写真撮影装置等を提供することができる。
【図面の簡単な説明】
【００１６】
【図１】証明写真撮影装置１を示す透視図
【図２】証明写真撮影装置１の機能構成を示すブロック図
【図３】証明写真撮影装置１のロールスクリーン９０の斜視図
【図４】証明写真撮影装置１の全体処理を示すフローチャート
【図５】証明写真撮影装置１のメニュー画面の１例を示す図
【図６】証明写真撮影装置１のモード選択画面の１例を示す図
【図７】証明写真撮影装置１の業界選択画面の１例を示す図
【図８】証明写真撮影装置１の選択業界注意事項表示画面の１例を示す図
【図９】証明写真撮影装置１の背景色選択画面の１例を示す図
【図１０】証明写真撮影装置１の写真撮影時の画面の１例を示す図
【図１１】証明写真撮影装置１のベスト画像選択画面の１例を示す図
【図１２】証明写真撮影装置１のプレビュー表示画面の１例を示す図
【図１３】証明写真撮影装置１のプリント物２００の１例を示す図
【発明を実施するための形態】
【００１７】
以下、添付図面を参照しながら、本発明の実施の形態について詳細に説明する。尚、以下の説明および添付図面において、略同一の機能構成を有する構成要素については、同一の符号を付することにより重複説明を省略することにする。
【００１８】
最初に、図１から３を参照しながら、本発明の実施の形態に係る証明写真撮影装置１について説明する。
図１は、証明写真撮影装置１を示す透視図である。
証明写真撮影装置１は、ボックス型に形成されており、証明写真撮影装置１の外壁には、プリントされた証明写真を取り出すための取出口８１が設置される。
証明写真撮影装置１の内部には、撮影室２が設置される。
【００１９】
撮影室２には、被撮影者５が座る回転可能な椅子３が備えられる。椅子３は、回転等により高さを調整することができる。
撮影室２における被撮影者５の上方、正面および背面に相当する位置には、それぞれ照明用のストロボ２１が設置される。
また、撮影室２における被撮影者５の正面には、操作手順や案内等、証明写真の撮影に関する画面や、撮影した証明写真等を表示する表示部４０、被撮影者５が撮影室２に入室したことを検出するための入室センサ５０、被撮影者５が所有している携帯電話等と通信するための赤外線通信部５５、撮影料金を精算するためのコインメック６０、被撮影者５が操作指示を入力するための操作ボタン７１やタッチパネル７２などが設置される。
【００２０】
図２は、証明写真撮影装置１の機能構成を示すブロック図である。
証明写真撮影装置１は、本体部１０、ストロボユニット２０、デジタルカメラ３０、表示部４０、入室センサ５０、赤外線通信部５５、コインメック６０、操作部７０、プリンタ部８０、通信制御部８２、ロールスクリーン９０等から構成される。
【００２１】
本体部１０は、制御部１１、Ｉ／Ｏ（Ｉｎｐｕｔ／Ｏｕｔｐｕｔ）コントロール１２、Ｉ／Ｆ（インタフェース）１３、ＤＶＤ（Ｄｉｇｉｔａｌ  Ｖｅｒｓａｔｉｌｅ  Ｄｉｓｋ）記憶部１４、ＲＡＭ（Ｒａｎｄｏｍ  Ａｃｃｅｓｓ  Ｍｅｍｏｒｙ）１５、記憶部１６を有する。
本体部１０は、Ｉ／Ｏコントロール１２を介して、ストロボユニット２０、コインメック６０、操作部７０と接続している。また、本体部１０は、Ｉ／Ｆ１３を介してプリンタ部８０、通信制御部８２と接続している。
【００２２】
制御部１１は、証明写真撮影装置１の各部を集中制御する。制御部１１は、記憶部１６に記憶された証明写真撮影装置１の各種処理プログラムに従って制御動作を行う。
【００２３】
Ｉ／Ｏコントロール１２は、ストロボユニット２０、コインメック６０、操作部７０等と各種情報を入出力するためのインタフェースである。
Ｉ／Ｆ１３は、プリンタ部８０、通信制御部８２との間で各種情報を入出力するためのインタフェースである。
【００２４】
ＤＶＤ記憶部１４は、記憶部１６に記憶されるデータ等を更新するためのものである。証明写真撮影装置１の管理者は、ＤＶＤ記憶部１４を介して、記憶部１６に記憶されるデータ等を更新する。
ＲＡＭ１５は、制御部１１により実行される処理プログラムの一時的な格納領域、処理結果の一時的格納領域として機能する。
【００２５】
記憶部１６は、証明写真撮影装置１で実行可能な各種処理プログラムや、データを記憶する。記憶部１６は、表示部４０に表示される案内情報１６１や、証明写真の背景色に関する背景色情報１６２等を記憶するデータベースを有する。
案内情報１６１は、証明写真の提出先の分類ごとに、注意事項の文字情報（被撮影者の案内に関する案内情報）を有する。また、背景色情報１６２は、証明写真の提出先の分類ごとに、背景色のサンプル（撮影時の背景色に関する情報）を有する。証明写真の提出先の分類は複数とする。従って、記憶部１６には、複数の案内情報１６１および複数の背景色情報１６２が記憶される。また、案内情報１６１は、証明写真の提出先の分類ごとに、複数の文字情報（例えば、髪型に関する注意事項、服装に関する注意事項、化粧に関する注意事項など）を有しても良い。また、背景色情報１６２は、証明写真の提出先の分類ごとに、複数の背景色のサンプル（例えば、グレー、ブルーなど）を有しても良い。
【００２６】
ストロボユニット２０は、撮影室２において被撮影者５の上方、正面および背面に位置する照明用のストロボ２１と接続し、制御部１１から入力される制御信号に従って、ストロボ２１の発光タイミングや発光量を制御する。
【００２７】
デジタルカメラ３０は、光学レンズと、ＣＣＤ（Ｃｈａｒｇｅ  Ｃｏｕｐｌｅｄ  Ｄｅｖｉｃｅ）やＣＭＯＳ（ｃｏｍｐｌｅｍｅｎｔａｒｙ  Ｍｅｔａｌ−Ｏｘｉｄｅ  Ｓｅｍｉｃｏｎｄｕｃｔｏｒ）等の撮影素子と、Ａ／Ｄ（Ａｎａｌｏｇ／Ｄｉｇｉｔａｌ）変換部等から構成される。
デジタルカメラ３０は、制御部１１から入力される制御信号に従って、光学レンズを介して入力された被写体像を撮影素子により光電変換し、アナログ画像信号を生成する。そして、Ａ／Ｄ変換部によりアナログ画像信号をデジタル画像データに変換し、制御部１１に出力する。
【００２８】
表示部４０は、液晶ディスプレイ等のタッチパネル付ディスプレイで、制御部１１から入力される表示信号に従って、表示処理を行う。
入室センサ５０は、被撮影者５が撮影室２内に入室したことを検出するものである。入出センタ５０は、被撮影者５の入室を検出すると、検出信号を制御部１１に出力する。
入室センサ５０としては、発光器と受光器からなる光学式センサ等を用いる。
赤外線通信部５５は、証明写真撮影装置１により撮影された撮影データを識別する二次元バーコード等の識別情報、あるいは、撮影データが暗号化された暗号化情報を、被撮影者５の携帯電話等の携帯端末に送る。
【００２９】
コインメック６０は、硬貨や紙幣の入金口や、つり銭の返金口等を供えた金銭登録機である。コインメック６０は、入金口から入金された金額に関する情報を制御部１１に出力し、制御部１１から入力される制御信号に従って、つり銭額に応じた硬貨、紙幣を返金口に排出する。
【００３０】
操作部７０は、撮影室２の内壁に備えられた操作ボタン７１、表示部４０と一体的に構成されたタッチパネル７２等から構成され、被撮影者５による操作に従って制御信号を制御部１１に送る。
プリンタ部８０は、制御部１１から入力される制御信号に従って、証明写真の画像データを所定の用紙にプリントする。
プリンタ部８０は高解像度カラープリンタで、昇華型、溶融型等、プリンタの方式は問わない。
【００３１】
通信制御部８２は、証明写真撮影装置１のネットワーク４を介した通信を制御する。証明写真撮影装置１は、証明写真の撮影データを、ネットワーク４を介してサーバ（図示しない）に記憶し、撮影日以降、被撮影者５が撮影データを再プリントすること可能とする。
【００３２】
ロールスクリーン９０は、撮影室２において被撮影者５の背面に設置され、証明写真の背景となる。
図３は、証明写真撮影装置１のロールスクリーン９０の斜視図である。
ロールスクリーン９０は、固定位置に設置されるローラ９１、９３が回転することにより、スクリーン９５が給送される。スクリーン９５は、異なる複数の色の領域９７ａ、９７ｂ、９７ｃ等からなる。例えば、領域９７ａはグレー、領域９７ｂはブルー、領域９７ｃはベージュというように構成される。
ロールスクリーン９０は、制御部１１からの制御信号により、証明写真の撮影範囲９９の部分が被撮影者５により背景色として指定された色となるように、ローラ９１、９３を回転してスクリーン９５を給送する。
ロールスクリーン９０は、図３に限定されず、撮影範囲９９の部分が指定された背景色に合わせて変更できるものであればよい。
【００３３】
次に、図４から１３を参照しながら、本発明に係る証明写真撮影装置１の処理の流れについて説明する。
【００３４】
図４は、証明写真撮影装置１の全体処理を示すフローチャートである。
証明写真撮影装置１の制御部１１は、図５に示すメニュー画面を表示部４０に表示し、被撮影者５に証明写真の種類を選択させる（ステップＳ１０１）。
図５は、証明写真撮影装置１のメニュー画面の１例を示す図である。
メニュー画面は、証明写真の種類を表す「証明写真」、「パスポート用写真」、「免許証用写真」等を有する。
【００３５】
被撮影者５が「証明写真」を選択すると、証明写真撮影装置１の制御部１１は、図６に示すモード選択画面を表示部４０に表示し、被撮影者５に証明写真のモードを選択させる（ステップＳ１０２）。
図６は、証明写真撮影装置１のモード選択画面の１例を示す図である。
モード選択画面には、証明写真のモードが表示される。証明写真のモードには、一般的に使用される証明写真を撮影する「通常証明」と、就職活動のため、履歴書等に貼付される証明写真を撮影する「就活モード」がある。
【００３６】
被撮影者５が「就活モード」を選択すると、証明写真撮影装置１の制御部１１は、図７に示す業界選択画面を表示部４０に表示し、被撮影者５に証明写真が貼付される履歴書を提出する会社の業界（証明写真の提出先の分類）を選択させる（ステップＳ１０３）。
図７は、証明写真撮影装置１の業界選択画面の１例を示す図である。
業界選択画面には、被撮影者５が選択可能な業界が表示される。業界としては、例えば、「製造」、「情報通信」、「金融」、「不動産」、「教育」、「医療福祉」、「出版」、「アパレル」、「サービス」等がある。
【００３７】
被撮影者５がいずれかの業界を選択すると、証明写真撮影装置１の制御部１１は、選択された業界に対応する髪型、服装、化粧等に関する注意事項を記憶部１６の案内情報１６１から読み出し、表示部４０に表示する（ステップＳ１０４）。
図８は、証明写真撮影装置１の選択業界注意事項表示画面の１例を示す図である。
選択業界注意事項表示画面には、選択された業界に対応する髪型、服装、化粧等に関する注意事項が表示される。制御部１１は、選択された業界を検索キーとして案内情報１６１を検索し、案内情報１６１に含まれる注意事項の文字情報を読み出し、表示部４０に表示する。
【００３８】
証明写真撮影装置１の制御部１１は、被撮影者５によって選択された業界に適する背景色のサンプルを複数提示し、被撮影者５に背景色のサンプルを選択させる（ステップＳ１０５）。
【００３９】
図９は、証明写真撮影装置１の背景色選択画面の１例を示す図である。
背景色選択画面は、デジタルカメラ３０のカメラ画像１０１、縦方向水準器１０３、横方向水準器１０５、カラーサンプル１０７、ＯＫボタン１０９等を有する。
カラーサンプル１０７は、被撮影者５によって選択された業界に適する背景色のサンプルで、記憶部１６の背景色情報１６２から業界に対応する背景色を読み出す。具体的には、制御部１１は、選択された業界を検索キーとして背景色情報１６２を検索し、背景色情報１６２に含まれる複数の背景色のサンプルを読み出し、表示部４０に複数のカラーサンプル１０７として表示する。被撮影者５は、カラーサンプル１０７の中から証明写真の背景色を選択する。
証明写真撮影装置１の制御部１１は、縦方向水準器１０３、横方向水準器１０５と、デジタルカメラ３０の顔認識機能により、被撮影者５の目の高さ、目の傾き、肩の傾き、水平方向の位置等が最適となるように、音声ガイダンス等により誘導する。
【００４０】
被撮影者５がＯＫボタン１０９を選択すると、証明写真撮影装置１の制御部１１は、スクリーン９５の証明写真の撮影範囲９９の部分（図３参照）が、選択された背景色に応じた色になるように、制御信号をロールスクリーン９０に送信する。ロールスクリーン９０は、制御部１１からの制御信号に応じて、ローラ９１、９３を回転してスクリーン９５を給送する。
具体的には、ロールスクリーン９０は、異なる複数の色の領域９７ａ、９７ｂ、９７ｃ等（図３参照）の位置と、制御信号として送信される背景色情報とを対応付けて予め記憶しておく。そして、ロールスクリーン９０は、証明写真の撮影範囲９９の部分が、背景色情報に応じた色の領域９７ａ、９７ｂ、９７ｃ等のいずれかに囲まれる位置まで、ローラ９１、９３を回転して、スクリーン９５を上下動させる。
例えば、領域９７ａがグレー、領域９７ｂがブルー、領域９７ｃがベージュとし、選択された背景色がブルーの場合、制御部１１は、制御信号としてブルーを示す背景色情報を送信する。ロールスクリーン９０は、証明写真の撮影範囲９９の部分が、領域９７ｂに囲まれる位置まで、ローラ９１、９３を回転して、スクリーン９５を上下動させる。
【００４１】
そして、証明写真撮影装置１の制御部１１は、スクリーン９５の移動が完了して一定時間経過した後、例えば、３秒後に証明写真の撮影を開始し、既定回数、例えば３回連続して撮影を行う（ステップＳ１０６）。すなわち、証明写真撮影装置１の制御部１１は、選択された背景色情報を撮影時の背景色として被撮影者５を撮影し、撮影データを生成する。
証明写真の撮影中、証明写真撮影装置１の制御部１１は、図１０に示すように、カメラ画像１０１の右側に撮影済み写真１１１ａ、１１１ｂを表示する。
図１０は、証明写真撮影装置１の写真撮影時の画面の１例を示す図である。
証明写真の撮影時、証明写真撮影装置１の制御部１１は、被撮影者５によって選択された業界に応じて、ストロボ２１の発光量等を制御したり、レフ板（図示しない）を所定の位置に移動したりすることにより、選択された業界に適する写真映りとなるようにしてもよい。また、証明写真撮影装置１の制御部１１は、写真撮影後、画像全体の明暗、色の濃淡なども、被撮影者５によって選択された業界に適するように、画像処理を施しても良い。
【００４２】
証明写真の撮影終了後、証明写真撮影装置１の制御部１１は、図１１に示されるベスト画像選択画面を表示部４０に表示する。
図１１は、証明写真撮影装置１のベスト画像選択画面の１例を示す図である。
ベスト画像選択画面は、被撮影者５によって選択された業界１２１、撮影済み写真１１１ａ〜１１１ｃ、背景再選択ボタン１２３、業界再選択ボタン１２５、ＯＫボタン１２７等を有する。
被撮影者５は、表示されたベスト画像選択画面の撮影済み写真１１１ａ〜１１１ｃの中からプリントするベスト画像を選択する。尚、証明写真撮影装置１の制御部１１が、画像処理機能により、案内情報１６１の業界ごとの注意事項を判定基準として、選択された業界に適する画像を判定し、被撮影者５におすすめ画像（推薦撮影データ）を識別可能に提示するようにしてもよい。
【００４３】
おすすめ画像の判定処理について、一例を説明する。
例えば、図８に示すように、選択された業界の注意事項の一つとして、「長い髪の場合はひとつにまとめたり、耳にかけたりすると清潔感が出ます。」が含まれているとする。この場合、証明写真撮影装置１の制御部１１は、各画像の中から、「髪が耳にかけられている画像」または「髪がひとつにまとめられている画像」をおすすめ画像として提示する。
例えば、制御部１１は、各画像から、肌の色に近い画素値を有する画素群を肌領域として抽出する。更に、制御部１１は、一般的な顔画像に基づいて目、耳、鼻、口、首などの領域（要素領域）が区分けされた画像をテンプレートとして保持しておき、テンプレートとマッチングすることで、肌領域の中に含まれる「耳に相当する部分」（特定の要素領域）を抽出し、その面積を算出する。そして、制御部１１は、「耳に相当する部分」の面積が閾値よりも大きい場合（耳が十分に目視できる画像である場合）、「髪が耳にかけられている画像」と判断する。
また、例えば、制御部１１は、各画像から、髪の色に近い画素値を有する画素群を髪領域として抽出する。更に、制御部１１は、前述の通り、「耳に相当する部分」を抽出する。そして、制御部１１は、髪領域であって、かつ「耳に相当する部分」よりも低い位置の画素群を抽出し、その面積を算出する。そして、制御部１１は、髪領域であって、かつ「耳に相当する部分」よりも低い位置の画素群の面積が閾値よりも小さい場合（耳より低い位置において髪がほとんど目視できない画像である場合）、「髪がひとつにまとめられている画像」と判断する。
おすすめ画像の判定処理は、この例に限定されるわけではなく、選択された業界の注意事項を判定基準として、様々な判定処理を行う。
【００４４】
証明写真撮影装置１の制御部１１は、所定枚数の撮影データが生成されると、背景色再選択ボタン１２３を表示する（異なる背景色情報の選択を許容する）ようにしても良い。また、制御部１１は、所定枚数の撮影データが生成されると、業界再選択ボタン１２５を表示する（異なる業界の選択を許容する）ようにしても良い。これに応じて、被撮影者５が、背景色を変更して撮り直したい場合、あるいは、撮影をやり直したい場合、背景色再選択ボタン１２３を選択する（ステップＳ１０７の「背景色再選択」）。
背景色再選択ボタン１２３が選択されると、証明写真撮影装置１の制御部１１はステップＳ１０５に戻り、背景色選択画面を再度表示する。
【００４５】
被撮影者５が、業界を変更して撮り直したい場合、業界再選択ボタン１２５を選択する（ステップＳ１０７の「業界再選択」）。
業界再選択ボタン１２５が選択されると、証明写真撮影装置１の制御部１１はステップＳ１０３に戻り、業界選択画面を再度表示する。
【００４６】
証明写真の撮り直しは、既定回数すべての写真を撮り直してもよいし、被撮影者５によって選択された一部の撮影済み写真を撮り直すようにしてもよい。
また、ベスト画像選択画面において、証明写真撮影装置１の制御部１１は、被撮影者５が複数の画像をベスト画像として選択できる（複数の撮影データの選択を許容する）ようにしてもよい。従って、制御部１１は、複数の業界、あるいは、複数の背景色を組み合わせてベスト画像として選択できる（複数の撮影データの選択を許容する）ようにしてもよい。
【００４７】
ベスト画像選択画面において、被撮影者５がＯＫボタン１２７を選択すると、証明写真撮影装置１の制御部１１は、選択されたベスト画像のプレビュー表示画面を表示する（ステップＳ１０８）。
図１２は、証明写真撮影装置１のプレビュー表示画面の１例を示す図である。図１２では、撮影済み写真１１１ａ〜１１１ｃの中から、撮影済み写真１１１ａを選択している。（以下、「撮影済み写真１１１」と総称する。）
被撮影者５がＯＫボタン１３１を選択すると、証明写真撮影装置１の制御部１１は、選択された撮影済み写真１１１に関する画像データである撮影データ等をプリンタ部８０に送信する。プリンタ部８０は、所定の用紙に撮影データ等をプリントし、プリント物２００として排出する（ステップＳ１０９）。
また、証明写真撮影装置１の制御部１１は、識別情報（選択された撮影済み写真１１１に関する画像データを識別する情報）を付して、撮影データ等をネットワーク４を介してサーバ（図示しない）に送るようにしても良い。これによって、後日、再印刷するための撮影データ等をサーバに記憶させることができる。
【００４８】
図１３は、証明写真撮影装置１のプリント物２００の１例を示す図である。
プリント物２００は、金融用写真２０１、製造用写真２０２、出版用写真２０３等の写真と、各写真を撮影するために選択された業界名２０５、二次元バーコード２０４を有する。
プリント物２００は、既定枚数の写真を有するが、金融用写真２０１、製造用写真２０２、出版用写真２０３というように、複数の業界の写真を組み合わせることもできる。  業界ごとの注意事項は、Ｗｅｂページを参照するように印字してもよいし、あるいは、注意事項をプリント物２００に直接印字するようにしてもよい。
すなわち、証明写真撮影装置１は、撮影データと対応付けて、選択された業界や、選択された業界に対応する案内情報をプリントするようにしても良い。
【００４９】
二次元バーコード２０４ａ、２０４ｂ、２０４ｃ（以下、「二次元バーコード２０４」と総称する。）は、例えば、業界ごとの注意事項を参照するＷｅｂページのＵＲＬ情報を示すものである。
また、例えば、二次元バーコード２０４は、更に、プリントされた金融用写真２０１、製造用写真２０２、出版用写真２０３を識別するための識別情報を含むものでもよい。被撮影者５は、携帯端末により二次元バーコード２０４を読み取り、識別情報を携帯端末内に保存する。これによって、被撮影者５は、携帯端末に保存された識別情報を用いて、後日、再印刷することもできる。この場合、画像データはサーバに保存されているので、被撮影者５は、他の証明写真撮影装置１を利用しても再印刷することができる。また、携帯端末には画像データ自体を記憶させるわけではないので、証明写真撮影装置１の再利用を促進することができる。
【００５０】
また、証明写真撮影装置１の制御部１１は、プリントされた写真の識別情報を、赤外線通信部５５を介して携帯端末に送るようにしてもよい。あるいは、制御部１１は、識別情報とともに、プリントされた写真のサムネイル画像を、赤外線通信部５５を介して携帯端末に送るようにしてもよい。被撮影者５は、サムネイル画像を携帯端末に記憶させることで、後日、どのような写真なのかを確認することができる。また、携帯端末には画像データ自体を記憶させるわけではないので、証明写真撮影装置１の再利用を促進することができる。
【００５１】
また、証明写真撮影装置１の制御部１１は、プリントされた写真の画像データ（撮影データ）が暗号化された暗号情報を、赤外線通信部５５を介して携帯端末に送るようにしてもよい。暗号情報は、証明写真撮影装置１が解読可能とする（携帯端末では画像を表示できないものとする。）。被撮影者５は、暗号情報を携帯端末に記憶させることで、後日、他の証明写真撮影装置１を利用しても再印刷することができる。また、携帯端末には画像データ自体を記憶させるわけではないので、証明写真撮影装置１の再利用を促進することができる。
【００５２】
前述の説明では、撮影時の背景を変更する仕組みとして、図３に示すロールスクリーン９０を用いるものとしたが、本発明の実施の形態は、この例に限定されない。
例えば、ロールスクリーン９０を用いず、証明写真撮影装置１の制御部１１による画像処理によって、事後的に撮影時の背景を変更するようにしても良い。すなわち、制御部１１は、撮影済の画像データに対して、人物領域と背景領域とを分離し、背景領域に含まれる画素群の色彩等を、選択された背景色情報に応じて変更するようにしても良い。撮影済の画像データに対して、人物領域と背景領域とを分離することは、例えば、クロマキー技術等の従来技術によって行うことが可能である。クロマキー技術とは、画像の電子的な合成の手法であり、特定の色を背景にして撮影しておき、その色で構成される背景を画像から分離して、その部分に別の画像を重ねることで合成を行うものである。これによって、証明写真撮影装置１は、ロールスクリーン９０の物理的な制約（スクリーン９５の上下方向の長さの制約）に起因する選択肢の制限をなくして、多くの選択肢を提供することが可能となる。
また、例えば、ロールスクリーン９０を用いるとともに、制御部１１による画像処理を組み合わせても良い。すなわち、まず、ロールスクリーン９０を用いる仕組みによって、選択された背景色情報に応じた色彩を背景として実際に撮影する。次に、制御部１１は、画像処理によって、選択された背景色情報に応じて、色彩の濃淡、または光の強度などを変更する。これによって、被撮影者５は、物理的なスクリーン９５によって、背景の大まかな色彩を確認しながら撮影することができ、かつ背景の色彩の微調整も指定することが可能となる。
このように、図９の背景色選択画面において表示される背景色のサンプルは、色彩、濃淡、または光の強弱の中で少なくとも１つが互いに異なるものとすることができる。証明写真撮影装置１は、選択された背景色のサンプルに応じて、ロールスクリーン９０を用いる仕組み、および／または、画像処理による仕組みによって、プリント物２００にプリントされる撮影時の背景を変更する。
【００５３】
以上説明したように、本発明に係る証明写真撮影装置は、就職活動において応募する業界に応じて、証明写真の背景色を選択し、被撮影者の背後のスクリーンの色を変更したり、ストロボの発光量等を制御したり、画像処理を施したりすることにより、業界に適する証明写真を撮影することができる。
また、写真撮影前に被撮影者に対して業界ごとの注意事項を提示することにより、被撮影者がより好印象を与える効果的な証明写真を撮影することができる。
更に、利用者は、複数回撮影を行い、実際に撮影した写真を見ながら背景色の再選択を行うことにより、効果的な証明写真を得ることができる。
【００５４】
以上、添付図面を参照しながら、本発明に係る証明写真撮影装置等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５５】
１………証明写真撮影装置
２………撮影室
３………椅子
４………ネットワーク
５………被撮影者
１０………本体部
１１………制御部
１２………Ｉ／Ｏコントロール
１３………Ｉ／Ｆ
１４………ＤＶＤ記憶部
１５………ＲＡＭ
１６………記憶部
１６１………案内情報
１６２………背景色情報
２０………ストロボユニット
２１………ストロボ
３０………デジタルカメラ
４０………表示部
５０………入室センサ
５５………赤外線通信部
６０………コインメック
７０………操作部
７１………操作ボタン
７２………タッチパネル
８０………プリンタ部
８１………取出口
８２………通信制御部
９０………ロールスクリーン
９１，９３………ローラ
９５………スクリーン
【図１】
0005477177.tif 000002
【図２】
0005477177.tif 000003
【図３】
0005477177.tif 000004
【図４】
0005477177.tif 000005
【図５】
0005477177.tif 000006
【図６】
0005477177.tif 000007
【図７】
0005477177.tif 000008
【図８】
0005477177.tif 000009
【図９】
0005477177.tif 000010
【図１０】
0005477177.tif 000011
【図１１】
0005477177.tif 000012
【図１２】
0005477177.tif 000013
【図１３】
0005477177.tif 000014